【手続補正書】
【提出日】平成28年12月8日(2016.12.8)
【手続補正１】
【補正対象書類名】特許請求の範囲
【補正対象項目名】全文
【補正方法】変更
【補正の内容】
【特許請求の範囲】
【請求項１】
主装置でサービスを起動する方法であって、前記主装置は、ピンのセットを含むポートコネクタを介して、前記主装置にイーサネットサービスを提供するのに適したデバイスに接続され、前記ピンのセットは、第１のピンのサブセットと第２のピンのサブセットとを含み、前記第１のピンのサブセットおよび前記第２のピンのサブセットは、共通のピンを含まず、前記方法は、
初期状態において、常に、前記第１のピンのサブセットでファーストイーサネットサービスの検知を行い、前記第２のピンのサブセットで第２のサービスの検知を行うステップと、
前記ファーストイーサネットサービスと前記第２のサービスのどちらかが、前記第１のピンのサブセットと前記第２のピンのサブセットで信号伝達されているのを検出するステップと、
前記第２のサービスが検出された場合、前記第２のピンのサブセットを選択し、前記主装置で前記第２のサービスを起動するステップと、
前記ファーストイーサネットサービスが検出された場合、前記第２のサービスを無効にし、前記第１のピンのサブセットと前記第２のピンのサブセットを選択し、前記ファーストイーサネットサービスを起動し、さらに、ギガビットイーサネットサービスが可能な場合、前記第１のピンのサブセットと前記第２のピンのサブセットを含む前記ポートコネクタで、前記ファーストイーサネットサービスの代わりに、前記ギガビットイーサネットサービスを有効にするステップと、
選択されたサービスの同期が失われた場合に、前記第２のサービスのために前記第２のピンのサブセットが選択される前記初期状態に常に切り替えるステップと、
を含む、方法。
【請求項２】
前記ポートコネクタは、８Ｐ８ＣモジュラーコネクタまたはＲＪ４５コネクタである、請求項１に記載の方法。
【請求項３】
前記第２のサービスは、ｘＤＳＬおよび／またはＰＳＴＮサービスである、請求項１または２に記載の方法。
【請求項４】
前記ファーストイーサネットサービスおよび前記第２のサービスの両方が、前記ピンのサブセットの両方で検出された場合、エラー状態をユーザに報告し、両方のサービスを無効にするステップを含む、請求項１、２、または３に記載の方法。
【請求項５】
前記主装置は、選択コンポーネントを備え、前記選択コンポーネントは、前記主装置のスイッチを入れると、常に、前記第２のピンのサブセットを前記第２のサービスに切り替え、前記ファーストイーサネットサービスが検出された時、ギガビットイーサネット機能が可能な場合、前記ギガビットイーサネットサービスを有効にするために、第１および第２のピンのサブセットに切り替える、請求項１〜４の１項に記載の方法。
【請求項６】
ポートコネクタを備えた装置であって、前記ポートコネクタは前記装置にサービスを提供するのに適したデバイスに接続するためのものであり、
前記ポートコネクタは、第１のピンのサブセットと第２のピンのサブセットを有するピンのセットを含み、前記第１のピンのサブセットと前記第２のピンのサブセットは共通のピンを持たず、
前記装置は、第１のサービスと第２のサービスのどちらが、前記第１のピンのサブセットと前記第２のピンのサブセットで信号伝達されるかを検出し、かつ、前記検出された第１または第２のサービスを前記装置上で起動するための検出器と、前記第１のサービスも前記第２のサービスも検出されない場合に、前記装置で第３のサービスを選択するための選択コンポーネントとを含み、前記第３のサービスは、前記ポートコネクタの、前記第１のピンのサブセットと前記第２のピンのサブセットからなる第３のピンのセットを必要とし、
前記選択コンポーネントは、選択されたサービスの同期が失われた場合、前記第２のサービスのために前記第２のピンのサブセットが選択されている初期状態に常に切り替える、
装置。
【請求項７】
前記ポートコネクタは、８Ｐ８ＣモジュラーコネクタまたはＲＪ４５コネクタである、請求項６に記載の装置。
【請求項８】
前記第１のサービスはファーストイーサネットサービスであり、前記第３のサービスはギガビットイーサネットサービスである、請求項６または７に記載の装置。
【請求項９】
ファーストイーサネットまたは前記第２のサービスが有効にされているか否かを検出し、ファーストイーサネットも前記第２のサービスも検出されない場合、前記ギガビットイーサネットサービスを選択する、請求項８に記載の装置。
【請求項１０】
前記第２のサービスは、ｘＤＳＬおよび／またはＰＳＴＮサービスである、請求項６、７または８に記載の装置。
【請求項１１】
前記選択コンポーネントは、前記装置のスイッチを入れると、常に、前記第２のピンのサブセットを前記第２のサービスに切り替え、ファーストイーサネットも前記第２のサービスも検出されない時、前記ギガビットイーサネットサービスに切り替える、請求項８、９または１０の１項に記載の装置。
【請求項１２】
前記装置は住居用ゲートウェイである、請求項６〜１１の１項に記載の装置。
【請求項１３】
請求項１〜５の１項に記載の方法を行うように適合された装置であって、前記装置にサービスを提供するのに適したデバイスを接続するためのポートコネクタを備える、装置。
【手続補正２】
【補正対象書類名】明細書
【補正対象項目名】００４２
【補正方法】変更
【補正の内容】
【００４２】
また、本発明の他の実施形態は、本発明の範囲を逸脱することなく、当業者によって利用されてよい。本発明は、詳細には、住居用ゲートウェイ、または、第２のサービスとしてｘＤＳＬおよび／またはＰＳＴＮサービスに限定されない。本発明は、従って、請求項で規定される。
［付記１］
主装置（２０１）でサービスを起動する方法であって、前記主装置は、ピンのセットを含むポートコネクタ（２０８）を介して、前記主装置にイーサネットサービスを提供するのに適したデバイスに接続され、前記ピンのセットは、第１のピンのサブセット（１〜３，６）と第２のピンのサブセット（４，５，７，８）とを含み、前記第１のピンのサブセットおよび前記第２のピンのサブセットは、共通のピンを含まず、
初期状態（Ｓ１）において、常に、前記第１のピンのサブセット（１〜３，６）でファーストイーサネットサービスの検知を行い、前記第２のピンのサブセット（４，５，７，８）で第２のサービスの検知を行うステップと、
前記ファーストイーサネットサービスと前記第２のサービスのどちらかが、前記第１のピンのサブセットと前記第２のピンのサブセットで信号伝達されているのを検出するステップ（Ｓ２）と、
前記第２のサービスが検出された場合、前記第２のピンのサブセット（４，５，７，８）を選択し（Ｓ３）、前記主装置で前記第２のサービスを起動するステップと、
前記ファーストイーサネットサービスが検出された場合、前記第２のサービスを無効にし、前記第１のピンのサブセットと前記第２のピンのサブセット（１〜８）を選択し（Ｓ３）、前記ファーストイーサネットサービスを起動し、さらに、ギガビットイーサネットサービスが可能な場合、前記第１のピンのサブセットと前記第２のピンのサブセット（１〜８）を含む前記ポートコネクタ（２０８）で、前記ファーストイーサネットサービスの代わりに、前記ギガビットイーサネットサービスを有効にするステップと、
を含む、前記方法。
［付記２］
前記ポートコネクタは、８Ｐ８ＣモジュラーコネクタまたはＲＪ４５コネクタ（２０８）である、付記１に記載の方法。
［付記３］
前記第２のサービスは、ｘＤＳＬおよび／またはＰＳＴＮサービスである、付記１または２に記載の方法。
［付記４］
前記ファーストイーサネットサービスおよび前記第２のサービスの両方が、前記両方のピンのサブセットで検出された場合、エラー状態をユーザに報告し、両方のサービスを無効にするステップを含む、付記１、２、または、３に記載の方法。
［付記５］
前記主装置は、選択コンポーネント（２０７）を備え、前記選択コンポーネント（２０７）は、前記主装置のスイッチを入れると、常に、前記第２のピンのサブセット（４，５，７，８）を前記第２のサービスに切り替え、前記ファーストイーサネットサービスが検出された時、ギガビットイーサネット機能が可能な場合、前記ギガビットイーサネットサービスを有効にするために、第１および第２のピンのサブセット（１〜８）に切り替える、付記１〜４の１項に記載の方法。
［付記６］
選択されたサービスの同期が失われた場合に、前記第２のサービスのために前記第２のピンのサブセット（４、５、７、８）が選択される前記初期状態（Ｓ１）に常に切り替えるステップを含む、付記１〜５の１項に記載の方法。
［付記７］
装置にサービスを提供するのに適したデバイスに接続するためのポートコネクタ（２０８）を備えた前記装置（２０７）であって、
前記ポートコネクタは、第１のピンのサブセット（１〜３，６）と第２のピンのサブセット（４，５，７，８）を有するピンのセットを含み、前記第１のピンのサブセットと前記第２のピンのサブセットは共通のピンを持たず、
前記装置は、第１のサービスと第２のサービスのどちらが、前記第１のピンのサブセットと前記第２のピンのサブセットで信号伝達されるかを検出し、かつ、前記検出された第１または第２のサービスを前記装置上で起動するための検出器（２０２，２０４，２０５，２０６）と、前記第１のサービスも前記第２のサービスも検出されない場合に、前記装置で第３のサービスを選択するための選択コンポーネント（２０７）とを含み、前記第３のサービスは、前記ポートコネクタ（２０８）の、前記第１のピンのサブセットと前記第２のピンのサブセット（１〜８）からなる第３のピンのセット（１〜８）を必要とする、
前記装置（２０１）。
［付記８］
前記ポートコネクタは、８Ｐ８ＣモジュラーコネクタまたはＲＪ４５コネクタ（２０８）である、付記７に記載の装置。
［付記９］
前記第１のサービスはファーストイーサネットサービスであり、前記第３のサービスはギガビットイーサネットサービスである、付記７または８に記載の装置。
［付記１０］
ファーストイーサネットまたは前記第２のサービスが有効にされているか否かを検出し、ファーストイーサネットも前記第２のサービスも検出されない場合、前記ギガビットイーサネットサービスを選択する、付記９に記載の装置。
［付記１１］
前記第２のサービスは、ｘＤＳＬおよび／またはＰＳＴＮサービスである、付記７、８または９に記載の装置。
［付記１２］
前記選択コンポーネント（２０７）は、前記装置のスイッチを入れると、常に、前記第２のピンのサブセット（４，５，７，８）を前記第２のサービスに切り替え、ファーストイーサネットも前記第２のサービスも検出されない時、前記ギガビットイーサネットサービスに切り替える、付記９、１０または１１の１項に記載の装置。
［付記１３］
前記選択コンポーネント（２０７）は、選択されたサービスの同期が失われた場合、前記第２のサービスのために前記第２のピンのサブセット（４，５，７，８）が選択されている初期状態（Ｓ１）に、常に切り替える、付記７〜１２の１項に記載の装置。
［付記１４］
前記装置は住居用ゲートウェイである、付記７〜１３の１項に記載の装置。
［付記１５］
付記１〜６の１項に記載の方法を行うための装置（２０１）であって、前記装置にサービスを提供するのに適したデバイスを接続するためのポートコネクタ（２０８）を備える、前記装置。